(57)【要約】【課題】固形物の付着、水漏れ防止を図った固液分離装置を提供する。【解決手段】複数の円形リング体７を間隙をおいて積層して形成した円筒状のストレーナ６と、前記ストレーナ６を回転駆動する回転駆動手段５と、前記ストレーナ６を回転自在に収納する容器４と、前記リング体７間の各間隙に先端が突入するスクレーパ１２と、前記ストレーナ６の外側に位置して前記容器４内に開口した固液流入口１と、前記ストレーナ６内に臨み前記容器４に開口した液体排出口２と、前記スクレーパ１２に対して前記ストレーナ６の回転方向上流側の前記容器の一部位に形成した固形物排出通路３とを具備し、前記固形物排出通路３の長さは、前記スクレーパ１２で掻き取られた固形物が順次圧縮されたのち排出される値に設定したものである。【選択図】図１
2009106876.tif 000002
【特許請求の範囲】
【請求項１】
複数の円形リング体を間隙をおいて積層して形成した円筒状のストレーナと、前記ストレーナを回転駆動する回転駆動手段と、前記ストレーナを回転自在に収納する容器と、前記リング体間の各間隙に先端が突入するスクレーパと、前記ストレーナの外側に位置して前記容器内に開口した固液流入口と、前記ストレーナ内に臨み前記容器に開口した液体排出口と、前記スクレーパに対して前記ストレーナの回転方向上流側の前記容器の一部位に形成した固形物排出通路とを具備し、前記固形物排出通路の長さは、前記スクレーパで掻き取られた固形物が順次圧縮されたのち排出される値に設定した固液分離装置。
【請求項２】
固形物排出通路は、排出方向側が上位となる傾斜状に構成した請求項１記載の固液分離装置。
【請求項３】
固形物排出通路の排出端面を略垂直壁に形成した請求項１または２記載の固液分離装置。
【請求項４】
固形物排出通路の排出端側に閉方向に付勢された蓋体を配置した請求項１記載の固液分離装置。
【請求項５】
蓋体の途中を軸支し、固形物排出通路の排出端側に対応しない一端に付勢手段を作用させるようにした請求項４記載の固液分離装置。
【請求項６】
樹脂材料で成形され蓋体に金属材料からなる変形防止材を設けた請求項４記載の固液分離装置。
【発明の詳細な説明】
【技術分野】
【０００１】
本発明は破砕された生ごみ等の固形物が混ざった固液を固形物と液体とに分離する固液分離装置に関するものである。
【背景技術】
【０００２】
従来、この種の固液分離装置は台所等で発生する生ごみを水道水と共に破砕し、脱水する生ごみ処理装置に使われている（例えば、特許文献１参照）。
【０００３】
図６は従来の固液分離装置を示すもので、一側壁に固液流入口１０１と液体排出口１０２を、周壁の上部に固形物排出口１０３をそれぞれ形成した横長略円筒状の容器１０４の内部には、駆動源で駆動される回転軸１０５に連係する円筒状のストレーナ１０６が回転自在に収納してある。
【０００４】
前記ストレーナ１０６は、円形リング体１０７を小間隔をおいて連結して構成したもので、それら円形リング体１０７には前記回転軸１０５に連結されるように複数のアーム１０８が設けてある。
【０００５】
また、前記各円形リング体１０７の外周からは回転に応じて容器１０４の内周面を摺動する突出部１０９が形成してある。
【０００６】
容器１０４における固形物排出口１０３の形成部位であって、かつストレーナ１０６の回転方向下手側には、隣接する円形リング体１０７の間に突入し、これら円形リング体１０７に付着する固形物を掻き取る複数のスクレーパ１１０が固定してある。
【０００７】
さらに、固形物排出口１０３の上部に軸１１１を介して配置した変位自在な蓋体１１２はスプリング１１３を介してこの固形物排出口１０３を閉じる方向に付勢してある。
【０００８】
前記の構成において、先ず、水道などからの水で生ごみを破砕機（図示せず）に導き、ここで破砕し、次に、処理した固液は固液流入口１０１から容器１０４に流入する。
【０００９】
ここで、回転しているストレーナ１０６の突出部１０９が固形物（破砕された生ごみなど）を掻き揚げ、その後、突出部１０９に引っ掛かったり、円形リング体１０７の外面に付着した固形物はスクレーパ１１０により剥離されて、固形物排出口１０３から排出されて乾燥やバイオの処理手段に回収される。
【００１０】
特に、固形物はスクレーパ１１０と蓋体１１２との間で脱水され、液体成分はスクレーパ１１０の間隙から容器１４に戻る。勿論、容器１０４に流入した固液内の大部分液体は直ちに円形リング体１０７間の間隙を通過して液体排出口１０２から排液される。
【特許文献１】特許第３６００４７４号公報
【発明の開示】
【発明が解決しようとする課題】
【００１１】
しかしながら、上記従来の構成では、蓋体１１２を押し開いた固形物は、スクレーパ１１０の上部面を移動して自重で処理手段に落下、排出されるが、一部固形物はその粘性によりスクレーパ１１０の上部面に付着し、その後乾燥して固着してしまうものであった。
【００１２】
この結果、後続の固形物が固着した固定物に邪魔されて動けず、回収が困難になるもの
であった。
【００１３】
他方、固液流入口１０１から排水能力を上回る大量の固液が流入した場合、容器１０４内の水位が上昇して蓋体１１２に達する。その時に、蓋体１１２とスクレーパ１１０との間に固形物が挟まっていると、蓋体１１２とスクレーパ１１０との間に間隙が形成され、液体がこの間隙から処理手段に排水されてしまうという課題を有していた。
【００１４】
本発明は上記課題を解決するもので、固形物の付着、水漏れ防止を図った固液分離装置を提供することを目的とするものである。
【課題を解決するための手段】
【００１５】
上記従来の課題を解決するために、本発明の固液分離装置は、複数の円形リング体を間隙をおいて積層して形成した円筒状のストレーナと、前記ストレーナを回転駆動する回転駆動手段と、前記ストレーナを回転自在に収納する容器と、前記リング体間の各間隙に先端が突入するスクレーパと、前記ストレーナの外側に位置して前記容器内に開口した固液流入口と、前記ストレーナ内に臨み前記容器に開口した液体排出口と、前記スクレーパに対して前記ストレーナの回転方向上流側の前記容器の一部位に形成した固形物排出通路とを具備し、前記固形物排出通路の長さは、前記スクレーパで掻き取られた固形物が順次圧縮されたのち排出される値に設定したものである。
【００１６】
固形物排出通路は、固形物自体の粘性と排出通路そのものの濡れ縁が長い分通路抵抗が大きくなり、同排出通路を通過する速度が遅くなる。
【００１７】
したがって、固形物排出通路へ移動してきた固形物は先の固形物に邪魔されて、同排出通路内に充満した後に排出される。これにより、固形物排出通路を移動する過程で確実に脱水され、また、固形物排出通路に充満した固形物が栓の役目をし、液体が固形物排出通路から不用意に排水されるのを防止することができる。
【発明の効果】
【００１８】
本発明の固液分離装置によれば、固形物の圧縮、脱水が確実になされ、固液分離効果を著しく高めることができるものである。
【発明を実施するための最良の形態】
【００１９】
第１の発明は、複数の円形リング体を間隙をおいて積層して形成した円筒状のストレーナと、前記ストレーナを回転駆動する回転駆動手段と、前記ストレーナを回転自在に収納する容器と、前記リング体間の各間隙に先端が突入するスクレーパと、前記ストレーナの外側に位置して前記容器内に開口した固液流入口と、前記ストレーナ内に臨み前記容器に開口した液体排出口と、前記スクレーパに対して前記ストレーナの回転方向上流側の前記容器の一部位に形成した固形物排出通路とを具備し、前記固形物排出通路の長さは、前記スクレーパで掻き取られた固形物が順次圧縮されたのち排出される値に設定したものである。
【００２０】
したがって、固形物（破砕された生ごみ）は回転するストレーナに掻き上げられてスクレーパへ運ばれ、その過程で固形物に付着した液体は自重によりストレーナの間隙を通過して液体排水口から排出されるものであり、その後、固形物はスクレーパによりストレーナから剥離して固形物排出通路へ移動する。
【００２１】
続いて、固形物排出通路を通過する固形物は固形物自身の粘性と固形物排出通路の濡れ縁が長い分通路抵抗が大きいので、固形物が固形物排出通路を通過する速度が遅い。その結果、ストレーナから剥離して固形物排出通路へ移動してきた新たな固形物は先の固形物
に邪魔されるので、固形物排出通路内に充満した後、つまり、圧縮、脱水されてから排出されることとなる。
【００２２】
他方、容器内に排水能力を上回る大量の固液や液体が流入した場合、容器内の液位が上昇して固形物排出通路に達するが、固形物排出通路内に充満した固形物が栓の役目をするので、液体が固形物排出通路から排水されることを防止できる。
【００２３】
第２の発明は、特に、第１の発明において、固形物排出通路を排出方向側が上位となる傾斜状に構成して、同固形物排出通路での通路抵抗を大きくできるものである。
【００２４】
第３の発明は、特に、第１または第２の発明において、固形物排出通路の排出端面を略垂直壁に形成して、固形物の排出を確実としたものである。
【００２５】
第４の発明は、特に、第１の発明において、固形物排出通路の排出端側に閉方向に付勢された蓋体を配置して、固形物排出通路での通路抵抗を一層大きくしたものである。
【００２６】
第５の発明は、特に、第４の発明において、蓋体の途中を軸支し、固形物排出通路の排出端側に対応しない一端に付勢手段を作用させるようにして固液分離装置を小型化したものである。
【００２７】
第６の発明は、特に、第４の発明において、樹脂材料で成形され蓋体に金属材料からなる変形防止材を設けて、蓋体を軽く、しかも摺動性のよいものとし、同時に変形防止部により変形を防止したものである。
【００２８】
以下、本発明の実施の形態について、図面を参照しながら説明する。なお、この実施の形態によりこの発明が限定されるものではない。
【００２９】
（実施の形態１）
図１〜図３において、固液流入口１と、それよりも若干下位に位置する液体排出口２を一側壁に、固形物排出通路３を周壁の上部にそれぞれ形成した横長略円筒状の容器４の内部には、ギヤードモータなどの駆動源５で駆動される回転軸５ａに連係した円筒状のストレーナ６が回転自在に収納してある。
【００３０】
前記ストレーナ６は、多数の円形リング体７を、例えば０．５ｍｍ程度の小間隔をおいて連結して構成したもので、より具体的には、各円形リング体７の側面に形成したスペーサ用凸部８で前記小間隔が特定され、同スペーサ用凸部８を貫通する連結軸９で各円形リング体７が円形状に固定されるようにしてある。
【００３１】
前記それぞれの円形リング体７のいくつかには前記回転軸５ａに連結されるように複数のアーム１０が一体的に設けてある。すなわち、前記円形リング体７は、図３に示すように３種類の円形リング体７ａ、７ｂ、７ｃからなり、そのうちの一つの円形リング体７ｃにアーム１０が一体形成されている。
【００３２】
また、前記各円形リング体７の外周からは回転に応じて容器４の内周面を摺動する複数の突出部１１が９０度の周方向間隔をおいて形成してある。
【００３３】
容器４における固形物排出通路３の形成部位であって、かつストレーナ６の回転方向下手側には、隣接する円形リング体７間の小間隔に突入し、これら円形リング体７に付着する固形物を掻き取る複数のスクレーパ１２が固定してある。
【００３４】
前記容器４とストレーナ６との空間１３は固液流入口１に対応する部分が最も大きくなるように、また隣接する突出部１１間の容器４とストレーナ６との間隔１４はストレーナ６の回転方向へ次第に小さくなるようにそれぞれ設定してある。
【００３５】
そして、複数のスクレーパ１２の支持壁１５が固形物排出通路３の下路壁を構成するものである。
【００３６】
以上のように構成された固液分離装置において、次にその動作を説明する。
【００３７】
先ず、生ごみが破砕機に投入され、かつ水道水が流し込まれると、制御部が破砕機と駆動源５の駆動を開始する。
【００３８】
破砕機で破砕された生ごみなどの固形物は水道水と混合されて固液流入口１から容器４の空間１３に分散し、同時に、駆動源５の動力がストレーナ６を回転させる。
【００３９】
そして、空間１３に広がった固形物はストレーナ６の外面に引き摺られてその回転方向に沿って上方へ移動を開始する。その際、間隔１４が徐々に狭くなるので、固形物は円形リング体７の小間隔から内部に入り込むこととなる。
【００４０】
この結果、固形物が固液流入口１の近傍に留まることを防止できる。
【００４１】
また、固形物に付着した液体（水道水や生ごみの汁等）や、容器４に流入した大部分の液体は自重によりストレーナ６の間隙を通過して液体排出口２から排水される。
【００４２】
次に、ストレーナ６により運ばれた固形物はスクレーパ３１により剥離されて固形物排出通路３へ移動する。
【００４３】
固形物排出通路３を通過する固形物は、固形物自身の粘性と固形物排出通路３の濡れ縁が長さとにより抵抗が大きいため、その通過速度が遅い。したがって、ストレーナ６から剥離して固形物排出通路３へ移動してきた固形物は順次圧縮、脱水され、最後にその排出側開口から排出されるものである。
【００４４】
他方、排液能力を上回る大量の固液や液体が固液流入口１から流入した場合、容器４内の液位が上昇して、ついには固形物排出通路３に達する。しかし、このとき、固形物排出通路３内に充満した固形物が栓の役目をするので、液体が固形物排出通路３から排出されることを抑制できる。
【００４５】
（実施の形態２）
図４は本発明の実施の形態２を示すもので、先の実施の形態１と異なるところは、固形物排出通路３を傾斜状、すなわち排出方向側が上位となるよう５°〜１０°の傾斜状とするとともに、固形物排出通路３の下路壁を構成する支持壁１５の端面部を垂直壁に設定した点である。なお、図１に示す構成、作用と同一のところには同一符号を付し、その具体的説明は実施の形態１のものを援用する。
【００４６】
この構成では傾斜の分、通路抵抗がさらに大きくなり、固形物排出通路３での圧縮、脱水が確実になされるものである。
【００４７】
また、この際、固形物排出通路３の下路壁を構成するスクレーパ１２の支持壁１５の端面部が垂直壁に設定してあるために、固形物の排出が確実に行われることとなる。
【００４８】
（実施の形態３）
図５は本発明の実施の形態３を示すもので、先の実施の形態１と異なるところは、固形物排出通路３の排出側開口を開閉するように蓋体１６を配設したものである。なお、図１に示す構成、作用と同一のところには同一符号を付し、その具体的説明は実施の形態１のものを援用する。
【００４９】
前記蓋体１６は合成樹脂材料で形成してあって、長さ方向途中に設けたヒンジ１７を介して固形物排出通路３の排出側開口側に揺動自在に取付けられており、その一辺が前記固形物排出通路３の排出側開口を開閉する。そして、他辺にスプリングなどの付勢手段１８を作用させて前記排出側開口を閉じるようにしてある。
【００５０】
合成樹脂材料の蓋体１６の補強のために、金属材料からなる変形防止材１９が密着状態で取着してある。
【００５１】
このように、固形物排出通路３の排出側開口に閉じ方向に付勢された蓋体１６を配設しているために、同固形物排出通路３での固形物の圧縮、脱水がより一層確実になされるものである。
【００５２】
そして、蓋体１６を固形物排出通路３の排出側開口端に配置していること、および付勢手段１８がこの固形物排出通路３の外側に位置しているところから、スクレーパ１２との関係で固形物が詰まって乾燥固化するようなことがなくなり、これより固形物の圧縮、脱水、排出が確実となるものである。
【００５３】
また、蓋体１６は樹脂材料なので軽く、固形物排出通路３との摩擦が小さく摺動性がよい。
【００５４】
さらに、蓋体１６は常に付勢手段１８の圧力を受けて変形（クリープ）しようとするが、金属材料からなる変形防止材１９がこれを防止するものである。
【００５５】
なお、蓋体１６を重くする（例えば、変形防止材１９を厚くする）ことにより、変形防止材１９を不要にできる。
【産業上の利用可能性】
【００５６】
本発明の固液分離装置によれば、固形物の圧縮、脱水が確実になされ、固液分離効果を著しく高め得るもので、例えば一般家庭の台所などでの生ごみ処理用に使用すれば非常に有用である。
【図面の簡単な説明】
【００５７】
【図１】本発明の実施の形態１における固液分離装置の構成図
【図２】本発明の実施の形態１における固液分離装置の側面断面図
【図３】本発明の実施の形態１における固液分離装置の部品図
【図４】本発明の実施の形態２における固液分離装置の構成図
【図５】本発明の実施の形態３における固液分離装置の要部拡大構成図
【図６】従来の固液分離装置の構成図
【符号の説明】
【００５８】
１  固液流入口
２  液体排出口
３  固形物排出通路
４  容器
５  回転駆動手段（駆動源）
６  ストレーナ
７  円形リング体
１２  スクレーパ
１６  蓋体
１８  付勢手段
１９  変形防止材
【図１】
2009106876.tif 000003
【図２】
2009106876.tif 000004
【図３】
2009106876.tif 000005
【図４】
2009106876.tif 000006
【図５】
2009106876.tif 000007
【図６】
2009106876.tif 000008